(57)【要約】【課題】小型化されたメモリーカードが、小型化前のメモリーカードに対応させたカード用コネクタに挿入されるのを制限できるカード用コネクタを提供する。【解決手段】カード用コネクタ１は、複数の端子４が横並びに整列して装着された絶縁ハウジング２と、絶縁ハウジング２に組み付けられたメタルシェル３とを備え、絶縁ハウジング２とメタルシェル３が協働して、メモリーカードの挿入・抜去が可能なカード受入空洞１１を形成している。メタルシェル３の頂板３１にばね片７が設けられ、カード受入空洞１１に片持ち梁状に臨んでいる。ばね片７は、テーパ部７１とカール部７２で構成され、小型メモリーカード８の前端８２がカール部７２と係合し、挿入力が解除された時には、小型メモリーカード８を抜去方向に押し戻すようにしている。【選択図】  図１
2004303675.tif 000002
【特許請求の範囲】
【請求項１】
複数の端子（４）が横並びに整列して装着された絶縁ハウジング（２）と、
絶縁ハウジング（２）に組み付けられたメタルシェル（３）とを備え、
絶縁ハウジング（２）とメタルシェル（３）が協働して、メモリーカード（６）の挿入・抜去が可能なカード受入空洞（１１）を形成し、前記端子（４）のコンタクト片（４１）がカード受入空洞（１１）の奥に整列しており、メモリーカード（６）をカード受入空洞（１１）に挿入すると、メモリーカード（６）の前端部に設けた接点パッド（６１）と前記コンタクト片（４１）が電気的に係合できるようにされていると共に、
前記カード受入空洞（１１）に、前記メモリーカード（６）に比べて小型化された小型メモリーカード（８）が挿入された時に、その小型メモリーカード（８）の前端（８２）と係合し、小型メモリーカード（８）に加えられた挿入力が解除された時には、小型メモリーカード（８）を抜去方向に押し戻すばね片（７）が設けられていることを特徴とするカード用コネクタ。
【請求項２】
前記ばね片（７）は、カード受入空洞（１１）の上側を仕切っているメタルシェル（３）の頂板（３１）に打抜かれて、カード受入空洞（１１）に、メモリーカード（６）の挿入方向に向かって斜め下方に臨んでいる請求項１に記載のカード用コネクタ。
【請求項３】
前記ばね片（７）は、先端部に弧状のカール部（７２）を有している請求項１又は２に記載のカード用コネクタ。
【請求項４】
複数の端子（４）が横並びに整列して装着された絶縁ハウジング（２）と、
絶縁ハウジング（２）に組み付けられたメタルシェル（３）とを備え、
絶縁ハウジング（２）とメタルシェル（３）が協働して、メモリーカード（６）の挿入・抜去が可能なカード受入空洞（１１）を形成し、前記端子（４）のコンタクト片（４１）がカード受入空洞（１１）の奥に整列しており、メモリーカード（６）をカード受入空洞（１１）に挿入すると、メモリーカード（６）の前端部に設けた接点パッド（６１）と前記コンタクト片（４１）が電気的に係合できるようにされていると共に、
前記カード受入空洞（１１）に、前記メモリーカード（６）に比べて小型化された小型メモリーカード（８）が挿入された時に、その小型メモリーカード（８）の前端（８２）と係合し、小型メモリーカード（８）のそれ以上の挿入を停止させるばね片（７）が設けられていることを特徴とするカード用コネクタ。
【請求項５】
前記ばね片（７）は、カード受入空洞（１１）の上側を仕切っているメタルシェル（３）の頂板（３１）に打抜かれて、カード受入空洞（１１）に、メモリーカード（６）の挿入方向に向かって斜め下方に臨んでいる請求項４に記載のカード用コネクタ。
【請求項６】
前記ばね片（７）は、カード受入空洞（１１）の下側を仕切っている絶縁ハウジング（２）の底壁（２１）に設けられ、カード受入空洞（１１）に、メモリーカード（６）の挿入方向に向かって斜め上方に臨んでいる請求項４に記載のカード用コネクタ。
【請求項７】
前記ばね片（７）は、絶縁ハウジング（２）と別体であり、絶縁ハウジング（２）の底壁（２１）に装着されている請求項６に記載のカード用コネクタ。
【請求項８】
前記ばね片（７）は、絶縁ハウジング（２）と一体であり、絶縁ハウジング（２）の底壁（２１）に設けられている請求項６に記載のカード用コネクタ。
【請求項９】
前記ばね片（７）は、先端に略コ字形に屈曲したフック部（７６）が形成され、基端側の第１曲げ接点部（７６１）と、先端の係合壁（７６２）とを有しており、カード受入空洞（１１）に対して小型化されていない正規のメモリーカード（６）が挿入された時には、前記第１曲げ接点部（７６１）がメモリーカード（６）の前端部で押し出されて、先端の係合壁（７６２）がメモリーカード（６）の進路より外側に退避する形状とされている請求項４〜８の何れかに記載のカード用コネクタ。
【請求項１０】
複数の端子（４）が横並びに整列して装着された絶縁ハウジング（２）と、
絶縁ハウジング（２）に組み付けられたメタルシェル（３）とを備え、
絶縁ハウジング（２）とメタルシェル（３）が協働して、メモリーカード（６）の挿入・抜去が可能なカード受入空洞（１１）を形成し、前記端子（４）のコンタクト片（４１）がカード受入空洞（１１）の奥に整列しており、メモリーカード（６）をカード受入空洞（１１）に挿入すると、メモリーカード（６）の前端部に設けた接点パッド（６１）と前記コンタクト片（４１）が電気的に係合できるようにされていると共に、
前記カード受入空洞（１１）に、前記メモリーカード（６）に比べて小型化された小型メモリーカード（８）が挿入された時に、その小型メモリーカード（８）の挿入を制限するためのカード挿入制限手段（７）が設けられていることを特徴とするカード用コネクタ。
【請求項１１】
前記カード挿入制限手段は、前記カード受入空洞（１１）に臨んで、先端が小型メモリーカード（８）の前端（８２）と係合し、小型メモリーカード（８）に加えられた挿入力が解除された時には、小型メモリーカード（８）を抜去方向に押し戻すばね片（７）とした請求項１０に記載のカード用コネクタ。
【請求項１２】
前記カード挿入制限手段は、前記カード受入空洞（１１）に臨んで、先端が小型メモリーカード（８）の前端縁と係合し、小型メモリーカード（８）のそれ以上の挿入を停止させるばね片（７）とした請求項１０に記載のカード用コネクタ。
【請求項１３】
前記ばね片（７）は、カード受入空洞（１１）の上側を仕切っているメタルシェル（３）の頂板（３１）に打抜かれている請求項１１又は１２に記載のカード用コネクタ。
【請求項１４】
前記ばね片（７）は、カード受入空洞（１１）の下側を仕切っている絶縁ハウジング（２）の底壁（２１）に、一体又は別体で設けられている請求項１１又は１２に記載のカード用コネクタ。
【発明の詳細な説明】
【０００１】
【発明の属する技術分野】
この発明は、携帯電話機、デジタルスチルカメラ等々の小型電子機器で使用されるメモリーカードのためのカード用コネクタに関する。カード用コネクタが上記小型電子機器に搭載され、メモリーカードが挿入・抜去可能にされる。
【０００２】
【従来の技術】
従来、この種のカード用コネクタは、複数の端子が横並びに整列して装着された絶縁ハウジングを備えている。絶縁ハウジングが、メモリーカードの挿入・抜去が可能なカード受入空洞を形成し、前記端子のコンタクト片がカード受入空洞の奥に整列している。メモリーカードをカード受入空洞に挿入すると、メモリーカードの前端部に設けた接点パッドと前記コンタクト片が電気的に係合できるようにされている（特許文献１〜５）。カード受入空洞の上側を、絶縁ハウジングに組み付けたメタルシェルで覆うようにしたものもある（特許文献６、７）。
【０００３】
前記カード受入空洞は、そこに受け入れるメモリーカードの形状に略合致させた空洞とされている。メモリーカードをカード受入空洞に挿入すると、その前端がカード受入空洞の奥まで達するようにしている。
【０００４】
【特許文献１】
特許第３２９９９４５号公報（図１）
【特許文献２】
特許第３３０６３９５号公報（図１）
【特許文献３】
特許第３３２５８６５号公報（図１）
【特許文献４】
特開２００１−１６０４５８号公報（図１、６）
【特許文献５】
特開２００１−１６７２３２号公報（図１、５）
【特許文献６】
特開平１０−１８７８９６号公報（図１、８）
【特許文献７】
特開２００２−２１６９０５号公報（図１、４）
【０００５】
【発明が解決しようとする課題】
ところで、近年のメモリーカードを取り巻く分野においては、カード用コネクタが搭載される小型電子機器の一層の小型化に伴って、メモリーカード自体も益々小型化が加速している。
ここで問題となるのは、小型化されたメモリーカードが、小型化前のメモリーカードに対応させたカード用コネクタのカード受入空洞に挿入することが可能である点である。この結果として、メモリーカードを抜去（取り出し）不能としたり、カード受入空洞内で端子のショートを引き起こしたり、端子のコンタクト片を坐屈させたりするなどの悪影響が懸念されてきている。
【０００６】
この発明は、このような問題点に鑑みてなされたもので、小型化されたメモリーカードが、小型化前のメモリーカードに対応させたカード用コネクタに挿入されるのを制限できるカード用コネクタを提供することを目的としている。
【０００７】
【課題を解決するための手段】
かかる目的のもとになされたこの発明は、複数の端子が横並びに整列して装着された絶縁ハウジングと、
絶縁ハウジングに組み付けられたメタルシェルとを備え、
絶縁ハウジングとメタルシェルが協働して、メモリーカードの挿入・抜去が可能なカード受入空洞を形成し、前記端子のコンタクト片がカード受入空洞の奥に整列しており、メモリーカードをカード受入空洞に挿入すると、メモリーカードの前端部に設けた接点パッドと前記コンタクト片が電気的に係合できるようにされていると共に、
前記カード受入空洞に、前記メモリーカードに比べて小型化された小型メモリーカードが挿入された時に、その小型メモリーカードの前端と係合し、小型メモリーカードに加えられた挿入力が解除された時には、小型メモリーカードを抜去方向に押し戻すばね片が設けられていることを特徴とするカード用コネクタである。
【０００８】
また、複数の端子が横並びに整列して装着された絶縁ハウジングと、
絶縁ハウジングに組み付けられたメタルシェルとを備え、
絶縁ハウジングとメタルシェルが協働して、メモリーカードの挿入・抜去が可能なカード受入空洞を形成し、前記端子のコンタクト片がカード受入空洞の奥に整列しており、メモリーカードをカード受入空洞に挿入すると、メモリーカードの前端部に設けた接点パッドと前記コンタクト片が電気的に係合できるようにされていると共に、
前記カード受入空洞に、前記メモリーカードに比べて小型化された小型メモリーカードが挿入された時に、その小型メモリーカードの前端と係合し、小型メモリーカードのそれ以上の挿入を停止させるばね片が設けられていることを特徴とするカード用コネクタである。
【０００９】
【作用】
上記のように構成されたこの発明のカード用コネクタによれば、カード受入空洞に設けられているばね片、即ち、小型化された小型メモリーカードが挿入された時に、その小型メモリーカードの前端と係合し、小型メモリーカードに加えられた挿入力が解除された時には、小型メモリーカードを抜去方向に押し戻すばね片が、ユーザーに誤挿入を気付かせることができる。
また、カード受入空洞に設けられているばね片、即ち、小型化された小型メモリーカードが挿入された時に、その小型メモリーカードの前端と係合し、小型メモリーカードのそれ以上の挿入を停止させるばね片が、誤挿入を確実に阻止することができる。
このように、カード受入空洞に設けられたばね片が、小型メモリーカードの挿入を制限するカード挿入制限手段を構成する。
【００１０】
【発明の実施の形態】
以下、この発明の実施の形態を添付の図を参照して説明する。
【００１１】
図１〜４は、第１の実施形態のカード用コネクタ１を表している。カード用コネクタ１は、絶縁ハウジング２とメタルシェル３とを備えている。絶縁ハウジング２は、絶縁性のプラスチックを成形したもので、図４に最も良く表れているように、底壁２１と後壁２２を有しており、後壁２２に複数の端子４が横並びで装着されて、それぞれのコンタクト片４１が片持ち梁状となって、底壁２１の上に延びている。
【００１２】
底壁２１の一側には、カードイジェクト機構５が設置してある。このカードイジェクト機構５は、カムスライダー５１と、ピン部材５２と、コイルスプリング５３を主要な構成要素とする、既に公知のプッシュ／プッシュ形式のイジェクト機構である。なお、このカードイジェクト機構５は、この発明においては必須のものではない。したがって、必ずしも設置しなくても良いし、他の形式のカードイジェクト機構とすることもできる。
【００１３】
メタルシェル３は、ステンレススチールなどの金属板を打抜いて、断面逆Ｕ字形に成形したものである。絶縁ハウジング２の上部を略覆う形状とした頂板３１と、頂板３１の側縁から略垂直に垂下する側板３２、３３を有している。メタルシェル３を絶縁ハウジング２に組み付けることによって、両部材が協働してカード受入空洞１１を形成している。カード受入空洞１１は、絶縁ハウジング２の底壁２１によって下側が仕切られ、メタルシェル３の頂板３１によって上側が仕切られている。このカード受入空洞１１は、図４に一部が表れ、図５に断面で示されているメモリーカード６（小型化前）の形状に略合致させた空洞となっている。カード挿入口１２からメモリーカード６を挿入すると、図５に示されているように、カード受入空洞１１の奥で、端子４のコンタクト片４１とメモリーカード６の前端部に設けられた接点パッド６１が電気的に係合できるようにされている。また、挿入したメモリーカード６は、前記カードイジェクト機構５を介して外部に抜去できるようになっている。
【００１４】
前記メタルシェル３の頂板３１内に、２つのばね片７が打抜かれている。２つのばね片７は、メモリーカード６の挿入方向に略直角の横方向で、所定の間隔で並列している。各ばね片７は、頂板３１に連続している基部をカード挿入口１２側として、カード受入空洞１１に、メモリーカード６の挿入方向に向かって斜め下方に、片持ち梁状となって臨んでいる。ばね片７は、基部側のテーパ部７１と、テーパ部７１に連続している先端側の弧状のカール部７２とを備えている（図２）。前記メモリーカード６をカード受入空洞１１に挿入した際には、メモリーカード６の前端が、先ずテーパ部７１に当たってばね片７を弾力に抗して押し上げ、続いてカール部７２に当たって更にばね片７を押し上げる（図５）ようにして、メモリーカード６を支障なく挿入・抜去できるようにされている。図５のように、メモリーカード６を挿入した状態では、ばね片７は、カール部７２の底部７２１（図２）がメモリーカード６の表面に接するようになっている。
【００１５】
このばね片７の設置位置は、メモリーカード６に比べて小型化された、図１、６、７に示した如くの小型メモリーカード８を考慮して設定されている。即ち、小型メモリーカード８は、その後端８１がカード挿入口１２に連通して形成される搭載機器の開口１３に達するまで挿入が可能である。したがって、小型メモリーカード８がこの最深の挿入位置（図７）まで挿入された時の、小型メモリーカード８の前端８２よりも前方に、ばね片７のカール部７２の底部７２１が位置するように設定されている。小型メモリーカード８が誤って挿入された時には、先ず、その前端８２がばね片７のテーパ部７１に当たって、ばね片７を押し上げ、続いてカール部７２のカール面７２２に当たって更にばね片７を押し上げるようにし、小型メモリーカード８の前端８２は、カール部７２の底部７２１を越えないようにされている。
【００１６】
このように構成されたカード用コネクタ１のカード受入空洞１１に、図１、６、７に順次示されているように、小型メモリーカード８が誤って挿入された場合、前記の通り、小型メモリーカード８は、前端８２が、先ず、ばね片７のテーパ部７１に当たって、ばね片７を弾力に抗して押し上げ、続いて、前端８２がカール部７２のカール面７２２に当たってばね片７を弾力に抗して押し上げる。小型メモリーカード８は、図７の最深位置までしか挿入できないところ、この位置で、挿入力を加えていた手指を離すと、ばね片７の復元力がカール部７２のカール面７２２から小型メモリーカード８へと加わる結果、小型メモリーカード８は、図６に示した挿入途中の状態、即ち、後端８１が開口１３から突出する状態へと抜去方向へ押し戻される。再度、小型メモリーカード８を図７のように押し込んで手指を離しても、繰り返し押し戻される。
【００１７】
このように、小型メモリーカード８を最深の挿入位置まで繰り返し押し込んでも、その都度押し戻されるので、小型メモリーカード８の誤挿入を気付かせ、そして、誤挿入を防止することができる。また、小型メモリーカード８がカード受入空洞１１に完全に埋没するまで挿入されることがないので、取り出しが不能となる事態を避けることができる。前記開口１３にシャッタ板（図示せず）が設けられる場合に特に有効である。更には、端子４のコンタクト片４１をショートさせたり、坐屈させることも避けることができるので、カード用コネクタ１を誤挿入による破壊から守ることができる。ばね片７は、メタルシェル３の頂板３１に打抜いて設けたものであるので、部品点数を増すことはなく、コスト的にも有利である。
【００１８】
なお、この実施形態においては、ばね片７はメタルシェル３の頂板３１に２個並べて設けたが、１個又は３個以上とすることもできる。ばね片７の設置位置は、前記のように、誤挿入の対象となる小型メモリーカード８の大きさを考慮して決められているが、ばね片７の弾力、テーパ部７１の傾斜角度、カール部７２のＲの大きさ等も、ばね片７の設置数、小型化前の正規のメモリーカード６の挿入に必要となる力、小型メモリーカード８を押し戻す力の強さや押し戻す距離等を考慮して決めることができる。
【００１９】
第２の実施形態が図８〜１０に示されている。この第２の実施形態は、メタルシェル３の頂板３１に打抜いて設けたばね片７が、図９に表れているように、基部側の急傾斜テーパ部７３と、この急傾斜テーパ部７３に連続する先端側の緩傾斜テーパ部７４とで形成されている点で、第１の実施形態と異なっている。他の部分は第１の実施形態と同様である。
【００２０】
ばね片７の急傾斜テーパ部７３と緩傾斜テーパ部７４が連続する屈折部７５が、図１１に示されているように、最深の挿入位置にある小型メモリーカード８の前端８２より前方（挿入方向）に位置するようにされている。
【００２１】
第２の実施形態のカード用コネクタ１に対して、正規のメモリーカード６に比べて小型化された小型メモリーカード８が、図８、１０、１１に順次示したように、誤って挿入された場合には、図１１の最深の挿入位置で、小型メモリーカード８の前端８２がばね片７の急傾斜テーパ部７３に当たって、ばね片７を弾力に抗して押し上げた状態となる。したがって、最深の挿入位置で、小型メモリーカード８を挿入した手指を離すと、ばね片７の変形による反力が小型メモリーカード８を抜去方向へ押し戻し、図１０のように、後端８１を開口１３から突出するようにし、誤挿入を気付かせ、且つ、誤挿入を断念させることができる。
【００２２】
次に、この発明の第３の実施形態のカード用コネクタ１を、図１２〜１５を参照して説明する。この第３の実施形態は、ばね片７が、図１３に最も良く表れているように、先端部がフック状とされている点で、これまでの第１、第２の実施形態と異なっている。他の部分は第１の実施形態と同様に構成されている。
【００２３】
ばね片７は、基部側のテーパ部７１と、テーパ部７１に連続している先端側のフック部７６とで構成されている。フック部７６は、ばね片７の先端部を略コ字形に屈曲成形して形成され、テーパ部７１に連続している基部側の第１曲げ接点部７６１と、先端の略垂直に垂下している係合壁７６２とを有している。係合壁７６２は、小型メモリーカード８の前端８２と係合するようにしたものであるが、小型化前の正規のメモリーカード６の挿入に対しては障害とならないように、長さが設定されている。
【００２４】
正規のメモリーカード６をカード受入空洞１１に挿入した時には、メモリーカード６の前端がテーパ部７１に当たってばね片７を押し上げ、第１曲げ接点部７６１をメモリーカード６の上表面に摺接するように押し出すが、このとき、係合壁７６２がメモリーカード６の進路より外側に退避するように、係合壁７６２の長さが決められている。
【００２５】
この第３の実施形態のカード用コネクタ１に対して、正規のメモリーカード６に比べて小型化された小型メモリーカード８が誤挿入されると、図１２、１４、１５に順次示したように、小型メモリーカード８の前端８２が、ばね片７のテーパ部７１に当たって、ばね片７を押し上げ、最終的には前端８２がフック部７６の係合壁７６２に係合し、小型メモリーカード８のそれ以上の挿入を停止させて、誤挿入を防止することができる。また、小型メモリーカード８が、図１５のように後端８１が開口１３から突出している位置で停止されるため、誤挿入を気付かせることができる。
【００２６】
この実施形態の場合も、ばね片７の設置位置は、小型メモリーカード８の大きさを考慮して設定する。また、小型メモリーカード８の厚さが、前記フック部７６の第１曲げ接点部７６１に接触しない厚さの場合もある。このような場合には、フック部６の先端の係合壁７６２の長さは、小型メモリーカード８の前端８２に係合する一方で、小型化前の正規のメモリーカード６が挿入されて、第１曲げ接点部７６１を介してメモリーカード６の進路から退避した時には、係合壁７６２が係合しない長さに設定する。
【００２７】
最後に、この発明の第４の実施形態のカード用コネクタ１を図１６〜２０を参照して説明する。この実施形態は、第３の実施形態と同様に、テーパ部７１とフック部７６で構成されたばね片７が絶縁ハウジング２の底壁２１に装着され、カード受入空洞１１に、メモリーカード６の挿入方向に向かって斜め上方に臨んでいる点で、これまでの実施形態と異なっている。他の部分は第１の実施形態と同様である。
【００２８】
この第４の実施形態では、小型メモリーカード８が誤挿入されると、小型メモリーカード８の前端８２は、テーパ部７１に当たってばね片７を下方に変形させながら、テーパ部７１の傾斜を上り、フック部７６の第１曲げ接点部７６１を越えて係合壁７６２に係合する。このようにして、小型メモリーカード８の挿入を停止させ、それ以上の挿入を防止する。そして、小型メモリーカード８の誤挿入を気付かせることができる。
【００２９】
なお、この第４の実施形態のばね片７は、ばね性を有する金属板を打抜いて成形し、絶縁ハウジング２の底壁２１に圧入、係止させて設けられたものであるが、絶縁ハウジング２の底壁２１内に、底壁２１と一体のばね片を成形によって設けて、部品点数の増加を避けるようにしても良い。
【００３０】
【発明の効果】
以上に説明したように、この発明によれば、カード受入空洞に誤挿入された小型メモリーカードを抜去方向へ押し戻すばね片や、誤挿入された小型メモリーカードと係合して挿入を停止させるばね片でなるカード挿入制限手段を設けたので、誤挿入を気付かせて誤挿入を防止できると共に、誤挿入による端子のショートや坐屈を避けることのできるカード用コネクタを提供することができる。また、小型メモリーカードが取り出し不能となる事態を起こさないカード用コネクタを提供することができる。
【図面の簡単な説明】
【図１】この発明の第１の実施形態のカード用コネクタの、メモリーカードの挿入方向に沿って示した断面図である。
【図２】図１のＡ部の拡大図である。
【図３】第１の実施形態のカード用コネクタの平面図である。
【図４】同じく第１の実施形態のカード用コネクタの、絶縁ハウジングの一部を示した斜視図である。
【図５】第１の実施形態のカード用コネクタの断面図で、小型化前のメモリーカードを挿入して接続した状態の図である。
【図６】第１の実施形態のカード用コネクタに、小型メモリーカードを挿入した第１段階の断面図である。
【図７】同じく、小型メモリーカードを最深位置まで挿入した第２段階の断面図である。
【図８】この発明の第２の実施形態のカード用コネクタの、図１と同様の断面図である。
【図９】図８のＢ部の拡大図である。
【図１０】第２の実施形態のカード用コネクタに、小型メモリーカードを挿入した第１段階の断面図である。
【図１１】同じく、小型メモリーカードを最深位置まで挿入した第２段階の断面図である。
【図１２】この発明の第３の実施形態のカード用コネクタの、図１、８と同様の断面図である。
【図１３】図１２のＣ部の拡大図である。
【図１４】第３の実施形態のカード用コネクタに、小型メモリーカードを挿入した第１段階の断面図である。
【図１５】同じく、小型メモリーカードを停止位置まで挿入した第２段階の断面図である。
【図１６】この発明の第４の実施形態のカード用コネクタの、図１、８、１２と同様の断面図である。
【図１７】図１６のＤ部の拡大図である。
【図１８】第４の実施形態のカード用コネクタの平面図である。
【図１９】第４の実施形態のカード用コネクタに、小型メモリーカードを挿入した第１段階の断面図である。
【図２０】同じく、小型メモリーカードを停止位置まで挿入した第２段階の断面図である。
【符号の説明】
１          カード用コネクタ
１１        カード受入空洞
１２        カード挿入口
１３        開口
２          絶縁ハウジング
２１        底壁
２２        後壁
３          メタルシェル
３１        頂板
３２        側板
３３        側板
４          端子
４１        コンタクト片
５          カードイジェクト機構
５１        カムスライダー
５２        ピン部材
５３        コイルスプリング
６          メモリーカード
６１        接点パッド
７          ばね片
７１        テーパ部
７２        カール部
７２１      底部
７２２      カール面
７３        急傾斜テーパ部
７４        緩傾斜テーパ部
７５        屈折部
７６        フック部
７６１      第１曲げ接点部
７６２      係合壁
８          小型メモリーカード
８１        後端
８２        前端
【図１】
2004303675.tif 000003
【図２】
2004303675.tif 000004
【図３】
2004303675.tif 000005
【図４】
2004303675.tif 000006
【図５】
2004303675.tif 000007
【図６】
2004303675.tif 000008
【図７】
2004303675.tif 000009
【図８】
2004303675.tif 000010
【図９】
2004303675.tif 000011
【図１０】
2004303675.tif 000012
【図１１】
2004303675.tif 000013
【図１２】
2004303675.tif 000014
【図１３】
2004303675.tif 000015
【図１４】
2004303675.tif 000016
【図１５】
2004303675.tif 000017
【図１６】
2004303675.tif 000018
【図１７】
2004303675.tif 000019
【図１８】
2004303675.tif 000020
【図１９】
2004303675.tif 000021
【図２０】
2004303675.tif 000022